(57)【要約】【課題】簡素な取付構造によって、棚の前端部にエアーカーテンガイドを着脱自在に設ける。【解決手段】陳列室１１の前面開口１２に冷気エアーカーテンを構成して成るオープンショーケース１において、棚３０の前端部において立設された商品落下防止用のガード３５を備え、このガード３５は前方に延在して冷気が通過可能な延出部５２を有し、延出部５２には、棚３０の前方に間隔を存して配置されるエアーカーテンガイド５４を設ける。【選択図】図５
2010207565.tif 000002
【特許請求の範囲】
【請求項１】
前面が開口する陳列室内に架設された商品陳列用の棚を有し、前記開口の上縁に形成された冷気吐出口より冷気を吐出し、前記開口の下縁に形成された冷気吸込口より吸い込むことにより、前記陳列室の前面開口に冷気エアーカーテンを構成して成るオープンショーケースにおいて、
前記棚の前端部において立設された商品落下防止用のガードを備え、
当該ガードは前方に延在して冷気が通過可能な延出部を有し、該延出部には、前記棚の前方に間隔を存して配置されるエアーカーテンガイドが設けられていることを特徴とするオープンショーケース。
【請求項２】
前記エアーカーテンガイドは、透視可能な部材で構成されていることを特徴とする請求項１に記載のオープンショーケース。
【請求項３】
前記エアーカーテンガイドは、プライスカードを保持する保持部を有することを特徴とする請求項１又は請求項２の何れかに記載のオープンショーケース。
【請求項４】
前記エアーカーテンガイドは、プライスカードが上部よりも下部が後方となる傾斜面とすることを特徴とする請求項３に記載のオープンショーケース。
【発明の詳細な説明】
【技術分野】
【０００１】
本発明は、前面が開口する陳列室内に架設された商品陳列用の棚を備えたオープンショーケースに関するものである。
【背景技術】
【０００２】
従来よりスーパーマーケットやコンビニエンスストアなどに設置されるショーケースは、前面に開口する断熱壁の内側に間隔を存して設けた仕切板との間にダクトを構成し、仕切板の内側には陳列室を構成する。そして、陳列室の前面開口部の上端に設けられた吐出口と、陳列室の開口部の下端に設けられた吸込口とを備え、ダクトには冷却器と送風機を設置する。
【０００３】
これにより、送風機が運転されると、陳列室の前面開口部上端に設けられた吐出口からダクト内の冷却器と熱交換した冷気を吹き出して陳列室内を冷却すると共に、冷気の一部を開口部下端に設けられた吸込口に向けて吹き出して、陳列室の前面開口部に冷気エアーカーテンを形成している。これにより、当該冷気エアーカーテンによって陳列室の前面開口部を覆って陳列室内と室外とを遮断し、大きく開口した陳列室内の冷却効率の向上を図っている。
【０００４】
しかしながら、陳列室の前面開口部に形成される冷気エアーカーテンは、接触する外気の流れによって乱されやすい。冷気エアーカーテンが乱されると、陳列室内に滞留する（循環する）冷気が外部に漏洩しやすくなり、冷却効率が低下する。そこで、冷気エアーカーテンの整流を行うべく、陳列室内に架設される商品陳列用の棚の前端に冷気エアーカーテンガイドを設けられたオープンショーケースが開発されている（例えば、特許文献１参照。）。
【発明の概要】
【発明が解決しようとする課題】
【０００５】
上述した如き特許文献１における冷気エアーカーテンガイドは、棚の前端にコ字状の取付板を介して棚の前端面と略平行にガイド板が取り付けられることにより構成されている。この際、冷気エアーカーテンガイドは、複数の部材によりネジ止めや溶接などによって棚の前端に固定するものであったため、生産作業性が悪いものであった。
【０００６】
また、既存のオープンショーケースに架設される棚に当該エアーカーテンガイドを設けるためには、工具等を用いた格別な取付作業が必要となり、商品陳列の態様に応じてエアーカーテンガイドの着脱作業性が悪いという問題があった。
【０００７】
そこで、本発明は、従来の技術的課題を解決するためになされたものであり、簡素な取付構造によって、エアーカーテンガイドを着脱自在に設けることができるオープンショーケースを提供する。
【課題を解決するための手段】
【０００８】
上記課題を解決するために、本発明のオープンショーケースは、前面が開口する陳列室内に架設された商品陳列用の棚を有し、開口の上縁に形成された冷気吐出口より冷気を吐出し、開口の下縁に形成された冷気吸込口より吸い込むことにより、陳列室の前面開口に冷気エアーカーテンを構成して成るものであって、棚の前端部において立設された商品落下防止用のガードを備え、このガードは前方に延在して冷気が通過可能な延出部を有し、延出部には、棚の前方に間隔を存して配置されるエアーカーテンガイドが設けられていることを特徴とする。
【０００９】
請求項２の発明は、上記発明において、エアーカーテンガイドは、透視可能な部材で構成されていることを特徴とする。
【００１０】
請求項３の発明は、上記各発明において、エアーカーテンガイドは、プライスカードを保持する保持部を有することを特徴とする。
【００１１】
請求項４の発明は、前記エアーカーテンガイドは、プライスカードが上部よりも下部が後方となる傾斜面とすることを特徴とする。
【発明の効果】
【００１２】
本発明によれば、前面が開口する陳列室内に架設された商品陳列用の棚を有し、開口の上縁に形成された冷気吐出口より冷気を吐出し、開口の下縁に形成された冷気吸込口より吸い込むことにより、陳列室の前面開口に冷気エアーカーテンを構成して成るオープンショーケースにおいて、棚の前端部において立設された商品落下防止用のガードを備え、このガードは前方に延在して冷気が通過可能な延出部を有し、延出部には、棚の前方に間隔を存して配置されるエアーカーテンガイドが設けられているので、陳列室の前面開口に冷気エアーカーテンを構成する冷気を各棚の前端と、ガードに設けられたエアーカーテンガイドとの間を通過させることで、冷気流の案内効果を向上させることができる。
【００１３】
これにより、陳列室の前面開口に形成される冷気エアーカーテンが乱されることによる不都合を効果的に解消することができ、陳列室内の冷却効率の向上を図ることができる。
【００１４】
特に、このエアーカーテンガイドは、ガードに形成される延出部に設けられているので、エアーカーテンガイドの取付構造を簡素化することができ、部品点数の削減及び生産コストの低減を実現することができる。また、既存のショーケースに設けられているガードと、本願発明に係るガードとを差し替えることで、容易に棚の前端にエアーカーテンガイドを設けることができる。
【００１５】
この際、格別にネジなどの固定部材を必要としないことから、取付作業性の向上を実現でき、利便性が向上される。また、棚の前端に立設されるガードを取り付けることで、適切な位置にエアーカーテンガイドを設けることができる。
【００１６】
請求項２の発明によれば、上記発明において、エアーカーテンガイドは、透視可能な部材で構成されているので、当該エアーカーテンガイドによって下方の棚上の商品が視界から遮られてしまう不都合を解消でき、係る商品の視認性の向上を図ることができる。
【００１７】
請求項３の発明によれば、上記各発明において、エアーカーテンガイドは、プライスカードを保持する保持部を有するので、冷気エアーカーテンを整流することができるエアーカーテンガイドを用いてプライスカードを保持させることができる。これにより、商品の陳列効果の向上を図ることができる。
【００１８】
また、保持部は、棚の前端よりも前方に位置して設けられることで、当該保持部に保持されるプライスカードによる商品アピール効果を向上させることができる。
請求項４の発明によれば、上記発明において、前記エアーカーテンガイドは、プライスカードが上部よりも下部が後方となる傾斜面とされていることにより、冷気エアーカーテンを構成する冷気をエアーカーテンガイドの前壁部と後壁部との間に入りやすくすることができ、冷気流の案内効果を向上させることができる。
【図面の簡単な説明】
【００１９】
【図１】本発明を適用したオープンショーケースの斜視図である。
【図２】図１のオープンショーケースの縦断側面図である。
【図３】棚前部の部分拡大断面図である。
【図４】エアーカーテンガイドを取り外した状態の棚の斜視図である。
【図５】エアーカーテンガイドを取り付けた状態の棚の斜視図である。
【図６】他のガードに差し替えた状態の棚前部の部分拡大断面図である。
【図７】棚前部の部分拡大断面図である。
【発明を実施するための形態】
【００２０】
以下、本発明の実施の形態について図面を参照して、本発明を適用したオープンショーケース１について詳述する。図１は本発明を適用したオープンショーケース１の斜視図、図２は図１のオープンショーケースの縦断側面図をそれぞれ示している。
【００２１】
次に、図面を参照して本発明の実施形態について詳述する。図１は本発明を適用したオープンショーケース１の斜視図、図２は図１のオープンショーケース１の縦断側面図をそれぞれ示している。オープンショーケース１は、例えばスーパーマーケットなどの店舗内に据え付けられる縦型のオープンショーケースであり、前面に開口する断面略コ字状の断熱壁２と、据え付け現場において断熱壁２の側面に取り付けられた断熱性の側板５、５とから構成されている。
【００２２】
オープンショーケース１の断熱壁２の内側にはそれぞれ間隔を存して仕切板４及び図示しないもう一枚の仕切板が取り付けられ、これら仕切板４などと断熱壁２間に図示しない内外二層のダクトが形成されている。内側の仕切板４の下端前方には、底板９が断熱壁２の底壁２Ａとの間にダクト用の間隔を存して取り付けられており、これら仕切板４及び底板９の内側を陳列室１１としている。
【００２３】
また、この陳列室１１内には、高さ及び取付角度が変更可能であると共に、陳列室１１内背部の図示しない支柱に取り付けられる一対のブラケット３１及びこれらと共に商品陳列用の棚３０を構成する棚板３２が複数段に渡って架設されている。棚板３２の前縁には、硬質合成樹脂により成形されるプライスレール３４が取り付けられており、当該プライスレール３４は、棚板３２の装飾体を兼用している。また、この棚板３２の前壁とプライスレール３４との間には、所定の間隔（後述する凹所５０）が形成されており、当該間隔には詳細は後述する如きガード３５が取り付けられている。
【００２４】
断熱壁２の前面開口１２の上縁にはハニカム材１３、１４がそれぞれ取り付けられた内層吐出口１６及び外層吐出口１７が並設されており、これら内層吐出口１６及び外層吐出口１７は、前記内層ダクト及び外層ダクトにそれぞれ連通している。また、開口１２の下縁には、内層吸込口１８と外層吸込口１９が並設されている。
【００２５】
一方、底板９下方後部には断熱壁２の底壁２Ａ上に前記内層ダクト及び外層ダクトのそれぞれに対応する図示しない送風機が複数台設置されている。
【００２６】
背部に配設される仕切板４後方の内層ダクト内には冷却装置の冷却器３９が縦設されており、前記内層ダクトに対応した送風機が運転されると冷却器と熱交換した冷気は内層ダクト内を上昇せられ、内層吐出口１６より内層吸込口１８に向かって吐出される。そして、内層吸込口１８から吸い込まれた冷気は再び前記送風機によって加速される。
【００２７】
他方、前記外層ダクトに対応した送風機が運転されると外層ダクト内の空気は外層ダクト内を上昇せられ、外層吐出口１７より外層吸込口１９に向かって吐出される。そして、外層吸込口１９から吸い込まれた空気は再び前記送風機によって加速される。これによって、開口１２には前後二重のエアーカーテンが形成され、内側の冷気エアーカーテンの一部が陳列室１１内に循環されて陳列室１１は冷却される。
【００２８】
次に、図３乃至図６を参照して商品陳列用の棚３０を説明する。図３は棚３０前部の部分拡大断面図、図４はエアーカーテンガイドを取り外した状態の棚３０の斜視図、図５はエアーカーテンガイドを取り付けた状態の棚３０の斜視図、図６は他のガード３６に差し替えた状態の棚３０前部の部分拡大断面図をそれぞれ示している。
【００２９】
本実施例における棚３０を構成する棚板３２は、前縁を下方に略垂直に折曲して構成された前壁４０と、この前壁４０の下端から略直角に後方に折曲された後向きのフランジ４１を有する塗装鋼板により構成されている。棚板３２の前縁には、当該棚板３２の装飾体を兼用するプライスレール３４が取り付けられる。
【００３０】
本実施例において、このプライスレール３４は、棚板３２の前面に位置する前壁部４２と、この前壁部４２の下端から後方に水平に延びる連壁部４３と、この連壁部４３の後端に連結され、全体として後上がりに傾斜する後壁部４４とが硬質合成樹脂により一体に成型されている。
【００３１】
前壁部４２は断面が凹状に湾曲しており、その上縁前面及び下縁に沿って係止片が形成されている。これら係止片によって、棚板３２に載置された商品の品名や価格等を記載した紙又は樹脂シートからなる図示しないプライスカードを係脱自在に保持する。
【００３２】
また、この前壁部４２には上縁後面から後方に向かって延びる略Ｌ字状の突起４６が形成されている。そして、後壁部４４には前記棚板３２のフランジ４１を嵌合するための前向きの嵌合溝４７が形成されている。後壁部４４の上部前端には、嵌合溝４７の前方に位置して垂直に起立する支持部４８が形成され、嵌合溝４７を形成する上面先端には、垂直に起立すると共に、支持部４８と対向して支持部４９が形成されている。これにより、支持部４８と支持部４９によって、略垂直上方に開口する凹所５０が形成されている。
【００３３】
そして、この凹所５０には、ガード３５の下部が挿入される。これにより、ガード３５の下部は、プライスレール３４の後壁部４４に形成された支持部４８と支持部４９とにより画成された凹所５０に収容され、ガード３５の後面が棚板３２の前壁４０に当接した状態で、当該ガード３５の前面が、プライスレール３４の突起４６によって支持される。これにより、棚３０の前端部にガード３５が棚３０の商品載置面３０Ａに対して略垂直に取り付けられる。
【００３４】
本発明におけるガード３５は、上述したように下部がプライスレール３４と棚板３２の前壁４０との間に挿入されて固定される本体５１と、この本体５１に設けられる延出部５２とから構成されている。これら本体５１及び延出部５２は、硬質合成樹脂のロッドの組み合わせにより構成されている。
【００３５】
本体５１は、棚３０の幅方向に延在して構成される矩形状の枠体５１Ａと、当該枠体５１Ａの上部に当該幅方向に延在して設けられる横桟５１Ｂと、枠体５１Ａの上下の枠に渡って設けられる複数の縦桟５１Ｃ・・・とから構成されている。本実施例において、横桟５１Ｂは、少なくとも当該ガード３５が棚３０に取り付けられた状態で、プライスレール３４の上端よりも上方に位置して設けられているものとする。
【００３６】
そして、この横桟５１Ｂには、延出部５２の一端が一体に取り付けられている。本実施例において、当該延出部５２は、ガード３５の本体５１から前方に複数、本実施例では、例えば両側部及びこれらの間に所定間隔を存して複数（合計４つ）延在する連結部５２Ａ・・と、これら連結部５２Ａ・・の先端に形成されて上下に所定の幅を有する取付部５２Ｂとで構成されている。
【００３７】
各連結部５２Ａは、前方に向けて所定寸法だけ延在した後、当該前端が所定角度で前下方に向けて傾斜し、この前端は、再び所定寸法だけ前方（例えば棚３０の商品載置面３０と略水平方向前方）に延出してその前端には、略垂直方向に起立して構成されている。そして、各連結部５２Ａの前面には、例えば、棚３０の幅方向に渡って延在する矩形状の枠体により構成される取付部５２Ｂが一体に構成されている。
【００３８】
この取付部５２Ｂには、エアーカーテンガイド５４が係脱可能に取り付けられる。このエアーカーテンガイド５４は、透視可能材料として例えば、透明硬質合成樹脂板にて構成されている。このエアーカーテンガイド５４の上端は、後方に折曲されて取付部５２Ｂを上方から被せるかたちで係合する係合部５４Ａとされ、全体としては下端が上方に折り返されることにより、上方に開口した二重構造とされてプライスカードを保持する保持部５４Ｂが内部に形成されている。この保持部５４Ｂは、上端が開口してそこから棚３０の商品載置面３０Ａに陳列された商品の品名や価格等を記載した紙又は樹脂シートから成るプライスカードを挿入させて、係脱自在に保持可能とされている。
【００３９】
これにより、棚３０の前端（ガード３５の本体５１前端）には、延出部５２が前方に延出する幅寸法だけ前方に間隔を存してエアーカーテンガイド５４が配置される。このとき、本体５１とエアーカーテンガイド５４とは、複数の連結部５２Ａによって連結されているため、当該連結部５２Ａ間には、上下に冷気が通過可能とされる空間５５が形成される。
【００４０】
尚、本実施例では、ガード３５と、エアーカーテンガイド５４とは、別部材にて構成されているが、これに限定されるものではなく、当該エアーカーテンガイド５４をガード３５の取付部５２Ｂと一体に構成しても良い。
【００４１】
また、最上段の棚３０の前端部に設けられるエアーカーテンガイド５４の上端は、冷気が吐出される前面開口１２上縁の冷気吐出口１６と冷気が吸い込まれる前面開口１２下縁の冷気吸込口１８とを結んで構成される冷気吐出範囲内に位置するように配設されているものとする。また、各棚３０に設けられるエアーカーテンガイド５４は、上側に設けられるエアーカーテンガイド５４と棚３０前端との間から流出する冷気流の下流側に対応する位置に配設されているものとする。
【００４２】
係る構成により、陳列室１１の前面開口１２上縁の冷気吐出口１６から開口１２下縁の冷気吸込口１８に向けて吹き出された冷気は、冷気吐出口１６下方に位置する、エアーカーテンガイド５４、この場合、最上段の棚３０前端部に設けられるエアーカーテンガイド５４と当該棚３０の前端とによって構成される間隔（空間５５）内に案内される。
【００４３】
このエアーカーテンガイド５４と棚３０の前端との間隔（空間５５）内に案内された冷気は、流下する過程において、整流されて当該空間５５の下部から流出する。そして、最上段の棚３０の前端部に設けられたエアーカーテンガイド５４と棚３０の前端との間隔を通過した冷気は、その下側に架設される棚３０の前端部に設けられたエアーカーテンガイド５４とその棚３０の前端との間の空間５５内に流入する。順次、各棚３０の前端部に設けられたエアーカーテンガイド５４により整流された冷気は、前面開口１２下縁の冷気吸込口１８よりダクト内に帰還する。
【００４４】
これにより、冷気吐出口１６から吐出された冷気が、順次、各棚３０の前端と、これら棚３０前端部に設けられたエアーカーテンガイド５４との間を通過することによって冷気流の案内効果を向上させることができ、陳列室１１の前面開口１２には、整流された冷気エアーカーテンを形成することができる。
【００４５】
従って、接触する外気の流れによって冷気エアーカーテンが乱されがたくなり、陳列室１１内に滞留（循環）する冷気が外部に漏洩する等の不都合を効果的に解消することができる。そのため、陳列室１１内の冷却効率の向上を図ることができる。
【００４６】
特に、本実施例では、エアーカーテンガイド５４は、ガード３５に形成される延出部５２に設けられているので、エアーカーテンガイド５４の取付構造を簡素化することができ、部品点数の削減及び生産コストの低減を実現することができる。
【００４７】
また、図６に示すように既存のショーケースに設けられているガード３６と、本願発明に係るガード３５とを差し替えることで、容易に棚３０の前端にエアーカーテンガイド５４を設けることができる。
【００４８】
この際、格別にネジなどの固定部材を必要としないことから、取付作業性の向上を実現でき、利便性が向上される。また、棚３０の前端に立設されて商品落下防止機能を有するガード３５を取り付けることで、適切な位置にエアーカーテンガイド５４を設けることができる。
【００４９】
また、本実施例におけるエアーカーテンガイド５４は、上述したように透視可能な部材で構成されているので、当該エアーカーテンガイド５４によって下方の棚３０上の商品が視界から遮られてしまう不都合を解消でき、係る商品の視認性の向上を図ることができる。
【００５０】
更に、係るエアーカーテンガイド５４は、プライスカードを保持する保持部５４Ｂが形成されているので、冷気エアーカーテンを整流することができるエアーカーテンガイド５４を用いてプライスカードを保持させることができる。これにより、商品の陳列効果の向上を図ることができる。
【００５１】
また、係る保持部５４Ｂは、棚３０の前端よりも前方に位置して設けられることで、当該保持部５４Ｂに保持されるプライスカードによる商品アピール効果を向上させることができる。
【００５２】
尚、上記実施例において、ガード３５がプレイスレール３４と棚３２の前端との間に保持された状態で、ガード３５に設けられる延出部５２の各連結部５２Ａは、プライスレール３４の上端面と当接する構成としても良い。これにより、より安定的にエアーカーテンガイド５４を設けることが可能となる。
【００５３】
また、本実施例における取付部５２Ｃは、図７に示すように、上端部よりも下端部が後方となるように、所定角度傾斜して設けられている。これにより、エアーカーテンガイド５４には棚板３０の商品載置面３０Ａに対し、所定角度、下斜め前方に向けて配置されることとなる。
【００５４】
従って、本実施例におけるエアーカーテンガイド５４が上部よりも下部が後方となる傾斜面を形成し、上部が広く、下部が狭くなるように構成されることとなる。
【００５５】
これによって、冷気エアーカーテンを構成する冷気を空間５５Ａに入りやすくすることができ、冷気流の案内効果を向上させることができる。
【符号の説明】
【００５６】
１    オープンショーケース
１１  陳列室
１２  前面開口
１６、１７  吐出口
１８、１９  吸込口
３０  商品陳列用の棚
３２  棚板
３４  プライスレール
３５、３６  ガード
５１  本体
５１Ａ  枠体
５１Ｂ  横桟
５１Ｃ  縦桟
５２  延出部
５２Ａ  連結部
５２Ｂ  取付部
５４  エアーカーテンガイド
５４Ａ  係止部
５４Ｂ  プライスカード保持部
５５，５５Ａ  空間
【先行技術文献】
【特許文献】
【００５７】
【特許文献１】実開昭５９−１７４５８８号公報
【図１】
2010207565.tif 000003
【図２】
2010207565.tif 000004
【図３】
2010207565.tif 000005
【図４】
2010207565.tif 000006
【図５】
2010207565.tif 000007
【図６】
2010207565.tif 000008
【図７】
2010207565.tif 000009